(57)【要約】【課題】空気清浄のメイン気流と別の独立した気流にナノメーターサイズの静電ミストを含ませ、メイン気流に影響を受けずに安定して静電ミストを供給できる空気清浄機を得ること。【解決手段】空気清浄機本体１に設けた第１の吸込口５から吸引し、フィルター群８を経由して浄化した空気流を空気清浄機本体の第１の吸込口とは他面に設けた第１の吐出口１４から排出させる第１の送風部６を空気清浄機本体内に備え、空気清浄機本体に形成された霧製造室１７に設けた第２の吸込口７から吸引し、一部の空気流が霧製造室内に配設された静電霧化装置１９を経由し、残りの空気流が静電霧化装置周辺を通過して再び合流した空気流と、静電霧化装置内で生成され、静電霧化装置周辺を通過した空気流により誘引された静電ミストとを霧製造室に設けた第２の吐出口２２から排出させる第２の送風部２１を霧製造室内に備えて構成される。【選択図】図１
2011098074.tif 000002
【特許請求の範囲】
【請求項１】
空気清浄機本体に設けた第１の吸込口から吸引し、フィルターを経由して浄化した空気流を前記空気清浄機本体の第１の吸込口とは他面に設けた第１の吐出口から排出させる第１の送風部を前記空気清浄機本体内に備え、
前記空気清浄機本体に形成された霧製造室に設けた第２の吸込口から吸引し、一部の空気流が前記霧製造室内に配設された静電霧化装置を経由し、残りの空気流が該静電霧化装置周辺を通過して再び合流した空気流と、前記静電霧化装置内で生成され、前記静電霧化装置周辺を通過した空気流により誘引されたナノメーターサイズの静電ミストとを前記霧製造室に設けた第２の吐出口から排出させる第２の送風部を前記霧製造室内に備えたことを特徴とする空気清浄機。
【請求項２】
空気清浄機本体に設けた第１の吸込口から吸引し、フィルターを経由して浄化した空気流を前記空気清浄機本体の第１の吸込口とは他面に設けた第１の吐出口から排出させる第１の送風部を前記空気清浄機本体内に備え、
前記空気清浄機本体に形成された霧製造室に設けた第２の吸込口から吸引し、全ての空気流が霧製造室内に配設された静電霧化装置を経由し、静電霧化装置を経由した空気流と、静電霧化装置内で生成され、その空気流の一部により誘引されたナノメーターサイズの静電ミストとを霧製造室に設けた第２の吐出口から排出させる第２の送風部を前記霧製造室内に備えたことを特徴とする空気清浄機。
【請求項３】
前記静電霧化装置は結露水を製造する水製造部と、該水製造部から運ばれてきた結露水を搬送する水搬送部と、該水搬送部によって搬送された結露水から静電ミストを生成する放電室とを備えていることを特徴とする請求項１又は２記載の空気清浄機。
【請求項４】
前記静電霧化装置の水製造部はペルチェモジュールと吸熱板と放熱板を備えていることを特徴とする請求項３記載の空気清浄機。
【請求項５】
前記水製造部の放熱板を前記第１の吸込口から吸引され、前記第１の吐出口から排出される空気流が通る風路内に設け、前記水製造部の前記吸熱板を前記第２の吸込口から吸引され、前記第２の吐出口から排出される空気流が通る風路内に設けたことを特徴とする請求項４記載の空気清浄機。
【請求項６】
前記水製造部は内部にペルチェモジュールと該ペルチェモジュールに当接した吸熱板が配置され、前記第２の送風部が作る気流を取り込む入口と、取り込んだ気流を吐き出す出口を有していることを特徴とする請求項４又は５記載の空気清浄機。
【請求項７】
前記水製造部は前記吸熱板の下部に凝集した結露水を案内する傾斜したガイド部と、前記ガイド部の最下部に設けられた複数の第１の穴とを有し、
前記水搬送部は前記第１の穴の下部を塞ぐ多孔質体として形成され、
前記放電部は前記水搬送部の片端である放電電極と、該放電電極と空間を隔てて配置された対向電極と、各電極間に高電圧を印加した際に発生するナノメーターサイズの静電ミストが放出される開口とを有していることを特徴とする請求項４〜６のいずれかに記載の空気清浄機。
【請求項８】
前記水製造部のガイド部の最下部に設けられた第１の穴の口径は、結露水発生時は表面張力により常に水で塞がれ、前記第２の送風部からの気流が前記水搬送部に接触しないサイズであることを特徴とする請求項７記載の空気清浄機。
【請求項９】
前記静電霧化装置に前記第２の送風部からの空気流の一部を流す誘導風路を設け、該誘導風路の前記空気流を受け入れる入口を前記水製造室、放電室へ直接繋がらない位置に設け、該誘導風路の前記空気流を排出する出口を前記放電室に連通する通路に連通するように設けたことを特徴とする請求項３〜８のいずれかに記載の空気清浄機。
【請求項１０】
前記誘導風路中に前記水搬送部へと繋がる複数の第２の穴を設けたことを特徴とする請求項９記載の空気清浄機。
【請求項１１】
前記水搬送部の前記第１の穴と前記誘導風路中に設けた第２の穴との間に、前記第２の穴よりも小さな口径の孔を複数持つ多孔質体を、前記第２の穴を上面から覆い被さるように配置したことを特徴とする請求項１０記載の空気清浄機。
【請求項１２】
前記誘導風路に当該誘導風路を流れる気流が前記水搬送部に直に晒すように開口を設けたことを特徴とする請求項９〜１１のいずれかに記載の空気清浄機。
【請求項１３】
前記霧製造室内に前記静電霧化装置を静電ミスト放出用の開口側が下がるように傾斜させて設置したことを特徴とする請求項１〜１２のいずれかに記載の空気清浄機。
【請求項１４】
前記水製造室内に前記吸熱板をその放電電極側が下がるように傾斜させて配置したことを特徴とする請求項１〜１２のいずれかに記載の空気清浄機。
【請求項１５】
前記第１の送風部が作る気流よりも前記第２の送風部が作る気流の方が小風量、低風速としたことを特徴とする請求項１〜１４のいずれかに記載の空気清浄機。
【請求項１６】
前記第１の送風部と前記第２の送風部の運転制御を分離し、前記第１の送風部の風量調整と前記第２の送風部の風量調整をそれぞれ独立して任意に行えるようにしたことを特徴とする請求項１〜１５のいずれかに記載の空気清浄機。
【請求項１７】
前記第２の送風部への電流供給と、前記ペルチェモジュールへの電流供給と、前記放電電極と対向電極間への高電圧供給とを、それぞれ個別に動作できるよう独立して制御するようにしたことを特徴とする請求項１〜１６のいずれかに記載の空気清浄機。
【請求項１８】
前記第２の送風部への電流供給、前記ペルチェモジュールへの電流供給及び前記放電電極と対向電極間への高電圧供給と、前記第１の送風部への電流供給とは独立制御とし、前記第１の送風部の停止時でも、前記第２の送風部への電流供給、前記ペルチェモジュールへの電流供給及び前記放電電極と対向電極間への高電圧供給を可能としたことを特徴とする請求項１〜１７のいずれかに記載の空気清浄機。
【請求項１９】
結露水を製造する水製造部と、該水製造部で製造された結露水を搬送する水搬送部と、該水搬送部によって搬送された結露水から静電ミストを生成する放電室とを備え、
前記水製造部はその内部に設けられた吸熱板と、該吸熱板の下部に凝集した結露水を案内する傾斜したガイド部と、前記ガイド部の最下部に設けられた複数の第１の穴とを有し、
前記水搬送部は前記第１の穴の下部を塞ぐ多孔質体として形成され、
前記放電部は前記水搬送部の片端である放電電極と、該放電電極と空間を隔てて配置された対向電極と、各電極間に高電圧を印加した際に発生するナノメーターサイズの静電ミストが放出される開口とを有していることを特徴とする静電霧化装置。
【請求項２０】
前記水製造部のガイド部の最下部に設けられた第１の穴の口径は、結露水発生時は表面張力により常に水で塞がれ、外部の送風部からの気流が前記水搬送部に接触しないサイズであることを特徴とする請求項１９記載の静電霧化装置。
【請求項２１】
前記静電霧化装置に外部の送風部からの空気流の一部を流す誘導風路を設け、該誘導風路の前記空気流を受け入れる入口を前記水製造室、放電室へ直接繋がらない位置に設け、該誘導風路の前記空気流を排出する出口を前記放電室に連通する通路に連通するように設けたことを特徴とする請求項１９又は２０に記載の静電霧化装置。
【請求項２２】
前記誘導風路中に前記水搬送部へと繋がる複数の第２の穴を設けたことを特徴とする請求項２１記載の静電霧化装置。
【請求項２３】
前記水搬送部の前記第１の穴と前記誘導風路中に設けた前記第２の穴との間に、前記第２の穴よりも小さな口径の孔を複数持つ多孔質体を、前記第２の穴を上面から覆い被さるように配置したことを特徴とする請求項２２記載の静電霧化装置。
【請求項２４】
前記誘導風路に当該誘導風路を流れる気流が前記水搬送部に直に晒すように開口を設けたことを特徴とする請求項１９又は２０に記載の静電霧化装置。
【発明の詳細な説明】
【技術分野】
【０００１】
本発明は、室内空気の微細浮遊物の捕集、脱臭を行うことのできる空気清浄機及び静電霧化装置に関し、特に静電霧化の技術を利用したものに関する。
【背景技術】
【０００２】
従来の空気清浄機は、吸込み口から吸込んだ空気をフィルタで浄化して吐出口から吐出させる送風部を有する空気清浄機に、水溜め部と、該水溜め部の水を水溜め部の外部に位置する先端側へ毛細管現象で搬送する搬送部と、搬送部の先端の水を霧化して活性種を含むナノメータサイズのミストを発生させるために高電圧を印加するための電圧印加部とを備えた静電霧化装置を設け、吸込み口から吐出口に至る風路内のフィルタの下流側に搬送部を設けて成ることを特徴とする（例えば、特許文献１参照）。
【０００３】
従来のもう１つの空気清浄機は、吸込み口から吸込んだ空気をフィルタで浄化して吐出口から吐出させる送風部を有する空気清浄機に、水溜め部と、該水溜め部の水を水溜め部の外部に位置する先端側に搬送する多孔質材の搬送部と、当該搬送部の先端の水を霧化して活性種を含むナノメータサイズのミストを発生させるための高電圧を印加する高電圧印加部とを備えた静電霧化装置を設け、上記搬送部が、送風部により送風される空気流が直接当たるのを防止するための壁面を隔てた位置に設けられ、上記壁面を隔てて設けた搬送部の先端の水に高電圧を印加することで発生したナノメータサイズのミストを吸込み口から吐出口に至る風路を流れる空気流により誘引するための開口部が、上記フィルタよりも下流側であって風路の途中に又は前記吐出口と並設して設けられて成ることを特徴とする（例えば、特許文献２参照）。
【０００４】
従来の静電霧化装置は、毛細管現象によって水を搬送する水搬送部と、水搬送部に水を供給する水供給部と、水搬送部が搬送する水に対して電圧を印加する印加電極と、印加電極に高電圧を印加することで水搬送部の先端部にて水を霧化させる高電圧印加部とを備えた静電霧化装置において、上記水供給部が、吸熱面及び放熱面を有するとともに該吸熱面上で空気を冷却して結露水を生成する熱交換部であり、該熱交換部の放熱面側を通って熱を奪う空気の流路を、吸熱面側を通る空気の流路とは別に形成し、上記水搬送部を、吸熱面側を通る空気の流路中に位置させていることを特徴とする（例えば、特許文献３参照）。
【０００５】
従来のもう１つの静電霧化装置は、４つ目の空気清浄機は、先端が尖った棒状の水搬送部と、ペルチェモジュールの冷却側に接続され、表面に生成された結露水を該水搬送部へ供給する冷却板と、該水搬送部の水に高電圧を印加する高電圧印加手段とを備えた静電霧化装置において、前記冷却板は、結露水を重力により表面に沿って流下させて下端部から滴下させる一方、前記水搬送部には多孔質体が接続されて、当該多孔質体が前記冷却板側から供給される水を受け取る水受け取り部となっており、前記滴下した水を当該多孔質体に流すガイド部を当該多孔質体上に設けて、該冷却板と該ガイド部とは、空間を介して非接触として成ることを特徴とする（例えば、特許文献４参照）。
【先行技術文献】
【特許文献】
【０００６】
【特許文献１】特許第４００３８３５号公報（第１頁、図１）
【特許文献２】特許第４００４４３７号公報（第１頁、図７、図８）
【特許文献３】特許第３９８００５１号公報（第１頁、図１）
【特許文献４】特開２００９−９０２８０号公報（第１頁、図５）
【発明の概要】
【発明が解決しようとする課題】
【０００７】
上記特許文献１に記載の従来の空気清浄機は、縦ラインにおいては水搬送部を流れる気流の風量や風速は、空気清浄を行うメイン気流の制御によって支配されているので、選択された風量によっては水搬送部が乾燥してしまう等の不具合を生じるという問題がある。
【０００８】
上記特許文献２に記載の従来のもう１つの空気清浄機は、誘引する風の風量や風速は、空気清浄を行うメイン気流の制御によって支配されているので、ミストの放出量を独立して自由に制御することはできない。また、水の供給は水タンクに予め入れる手間があり、更に水タンク内の水が無くなったらミストの放出が出来なくなる問題がある。
【０００９】
上記特許文献３に記載の従来の静電霧化装置は、吸熱側を通る風路が放熱板の近傍を通過するので空気が温まりやすく、吸熱側で水を凝集するのに効率が悪い。また、吸熱側は周囲の空気を冷やす必要があるので空気の入替えを少なくする為に風速を微風にする必要があるのに対し、放熱側は空気を入替えて発熱する放熱板を冷やす必要があるので、吸熱側と比較し膨大な量の風で冷やす必要があり、同じ１つのファンで作られる風でこの２つの条件を両立させるには構造上の制限が多いという問題がある。
【００１０】
上記特許文献４に記載の従来のもう１つの静電霧化装置は、水滴の多い時期には多孔質体の含水量が飽和となり、水溜め部が満水となりあふれ出る可能性がある。また、水滴の少ない時期には水溜め部と通水用接続部と水搬送部との距離が大きいと、多孔質体内で移動する時間が長いため途中で乾燥してしまう恐れがある。特に、湿った空気を供給するためには気流が必要なはずで、水の移動距離が長いと途中で気流の影響で乾燥しやすくなるという問題がある。
【００１１】
本発明はかかる問題を解決するためになされたもので、水搬送部の乾燥を防止でき、ミストの放出量を独立して制御でき、ミストを作るための水を供給する手間を省き、水を凝集する効率を向上させ、水溜め部が満水となりあふれ出るのを防止することができる空気清浄機及び静電霧化装置を得ることを目的とする。
【課題を解決するための手段】
【００１２】
本発明に係る空気清浄機は、空気清浄機本体に設けた第１の吸込口から吸引し、フィルターを経由して浄化した空気流を前記空気清浄機本体の第１の吸込口とは他面に設けた第１の吐出口から排出させる第１の送風部を前記空気清浄機本体内に備え、前記空気清浄機本体に形成された霧製造室に設けた第２の吸込口から吸引し、一部の空気流が前記霧製造室内に配設された静電霧化装置を経由し、残りの空気流が該静電霧化装置周辺を通過して再び合流した空気流と、前記静電霧化装置内で生成され、前記静電霧化装置周辺を通過した空気流により誘引されたナノメーターサイズの静電ミストとを前記霧製造室に設けた第２の吐出口から排出させる第２の送風部を前記霧製造室内に備えて構成されている。
【発明の効果】
【００１３】
本発明に係る空気清浄機においては、空気清浄機本体に設けた第１の吸込口から吸引し、フィルターを経由して浄化した空気流を前記空気清浄機本体の第１の吸込口とは他面に設けた第１の吐出口から排出させる第１の送風部の他に、空気清浄機本体に形成された霧製造室に設けた第２の吸込口から吸引し、一部の空気流が前記霧製造室内に配設された静電霧化装置を経由し、残りの空気流が該静電霧化装置周辺を通過して再び合流した空気流と、静電霧化装置内で生成され、前記静電霧化装置周辺を通過した空気流により誘引されたナノメーターサイズの静電ミストとを霧製造室に設けた第２の吐出口から排出させる第２の送風部を霧製造室内に備えたので、空気清浄機本体内で第１の送風部により作り出される空気清浄のメイン気流に影響を受けることなく、独立した気流を第２の送風部が作り出すことができ、その気流に静電霧化装置が作り出す静電ミストを合流させ室内に放出を可能としたので、空気清浄のメイン気流の風量や風速を使用者が任意に選択した場合でも影響を受けずに、安定した静電ミストの供給ができるという効果がある。
【図面の簡単な説明】
【００１４】
【図１】本発明の実施の形態１に係る空気清浄機の正面図。
【図２】同空気清浄機の側面図。
【図３】同空気清浄機の中央部断面図。
【図４】図３のIV-IV線断面図。
【図５】図３のV−V線断面図。
【図６】同空気清浄機の静電霧化室の断面図。
【図７】図６のVII-VII線断面図。
【図８】本発明の実施の形態２に係る空気洗浄機の静電霧化室の断面図。
【図９】同空気清浄機の静電霧化室の第１の変型例の断面図。
【図１０】同空気清浄機の静電霧化室の第２の変型例の断面図。
【図１１】本発明の実施の形態５に係る空気洗浄機の図４と同様な断面図。
【図１２】同空気清浄機の静電霧化室の変型例の断面図。
【発明を実施するための形態】
【００１５】
実施の形態１．
図１は本発明の実施の形態１に係る空気清浄機の正面図、図２は同空気清浄機の側面図、図３は同空気清浄機の中央部断面図、図４は図３のIV−IV 線断面図、図５は図３のV−V線断面図、図６は同空気清浄機の静電霧化室の断面図、図７は図６のVII−VII 線断面図である。
図１及び図２に示すように、本発明の実施の形態１の空気清浄機は、空気清浄機本体１の主要部品を覆う本体ケース３の正面に開閉もしくは着脱自在な前扉２が装着されている。空気清浄機本体１の上部に使用者が操作する電源入り切り切替や、風量調節等の操作を行う為の操作手段が集結する操作部ボックス４が配置されている。
【００１６】
また、空気清浄機本体１の背面に格子形状等による複数の穴で形成された第１の吸込口５が設けられ、空気清浄機本体１の上面には第１の吐出口１４が開口し、気流Ａや気流Ｂが通る空間によって第１の吸込口５と第１の吐出口１４が連結されている。
第１の吸込口５と第１の吐出口１４を連結する空間内に気流Ａや気流Ｂを生み出すためのファン６ａとモータ６ｂとからなる第１の送風部６が配置されている。
操作部ボックス４に配置された操作手段（操作手段についての部品構成説明は省く）や遠隔操作リモコン（リモコンについての説明を省く）等により、第１の送風部６のモータ６ｂに連結されたファン６ａの回転数を制御し、風量や風速を任意に制御することができ、空気清浄能力を時と場合によって使用者が選択することができる。
【００１７】
空気清浄機本体１の第１の吸込口５より内側近傍には集塵した物に対して抗菌、抗アレルゲン、抗ウイルス等の抑制機能を任意に付加した集塵機能を備えた第１のフィルター８ａと、脱臭機能を備えた第２のフィルター８ｂとからなるフィルター群８が配置されている。また、抗菌、抗アレルゲン、抗ウイルス等の抑制機能は第２のフィルター８ｂのみに選択的に付加しても構わない。なお、フィルターは第１及び第２のフィルター８ａ、８ｂからなるフィルター群８でなく単体のフィルターでも構わない。
第１の送風部６のファン６ａにより作り出された吸引気流はフィルター群８によって濾過された後に、第１の開口９を経由しファン６ａを通過してファン下流風路１０へ流れる気流Ａと、それとは別に第２の開口１１を経由し水に一部浸され湿った加湿フィルター１２を設けた部屋を通過してファン上流風路１８を通り、第３の開口１３より進入し、ファン６ａを通過してファン下流風路１０へ流れる気流Ｂが合流し、第１の吐出口１４から濾過された気流として排出される。
【００１８】
この例は加湿機能を付加した空気清浄機の構成例であり、ファン６ａは前面、後面の両面から吸引する両吸いファンが使われているが、加湿機能が無く片吸いファンにより気流Ａのみが作られる空気清浄機でも良い。
また、加湿機能を付加した空気清浄機の場合、給水タンク１５が前扉２内に設置され、給水タンク１５の下部に給水タンク１５より給水された水を溜めておくための水受け皿１６と、その水に一部浸るように配置された加湿フィルター１２が気流Ｂに触れるように設けられている。
空気清浄機本体１の上方には、前記気流Ａ、気流Ｂが触れることのない霧製造室１７が、ファン下流風路１０と壁を隔てて併設されている。その霧製造室１７内には静電霧化装置１９が配設され、その静電霧化装置１９の放熱板２０はファン下流風路１０内に晒され、放熱板２０以外の部材は気流Ａ、気流Ｂに触れないように設けられている。
図５は、気流Ａ又は気流Ｂもしくはその両方がガイド壁２３により方向付けされ、放熱板２０がそれら気流の一部に晒されている状態を示している。
【００１９】
図４に示すように、霧製造室１７内には、第１の送風部６とは別の小型の第２の送風部２１が配置され、吸引する空気は第１の吸込口５とは別の気流を生成する第２の吸込口７から気流Ｃとして供給され、第２の送風部２１から排出される一部の気流Ｄに晒されるように静電霧化装置１９が設けられている。
第２の送風部２１から排出される他の気流Ｆは、静電霧化装置１９の外部を沿うように流れ、第２の吐出口２２より排出され、前記気流Ａ、気流Ｂが形成する集塵のための空気清浄メイン気流とは別に独立した気流を生成する。なお、第２の吐出口２２の開口面積は第１の吐出口の開口面積よりも小さい。
【００２０】
図６及び図７に示すように、静電霧化装置１９は大きく区分けすると、結露水を製造する水製造室４０と、水製造室４０からの結露水を搬送する水搬送部２８と、水搬送部２８によって搬送された結露水から静電ミストを生成する放電室４１とに分けられる。
その水製造室４０内に、吸熱板２４が放熱板２０とでペルチェモジュール３７を挟持するように設けられ、放熱板２０のみが外部に突き出すように配置され、その他の部材は放熱板２０と隔てるように水製造室４０内に配置されている。
その水製造室４０は入口２５と出口２６を有し、入口２５と出口２６の間に吸熱板２４が配置されている。第２の送風部２１によって生成される気流Ｅは入口２５より浸入し、吸熱板２４の周囲を通り出口２６より排出される。
また、ペルチェモジュール３７は熱交換器の役割として、吸熱板２４から熱エネルギーを奪い、放熱板２０へ熱エネルギーを移動する。これにより、吸熱板２４の温度が下がり、周囲を流れる気流Ｅが冷却され、吸熱板２４の表面上に結露を生じる。また、放熱板２０の熱は気流Ａ、気流Ｂによって奪われ冷却される。
【００２１】
吸熱板２４の表面上に凝集した結露水は自重により吸熱板２４の下部へ滴り落ち、傾斜したガイド部２７等を流れ落ちたりし、水製造室４０の底部に設けた複数の穴３６から更に下部へ移動する。これら複数の穴３６は水製造室４０の底部に開けた穴の代わりに、金属やフェルト等の多孔質体でも構わない。
これら複数の穴３６の下部には、これら複数の穴３６を塞ぐように水搬送部２８が当接し、気流Ｅが通り抜けない構造をしている。
これら複数の穴３６の口径は、結露水発生時は表面張力により常に水で塞がれ、第２の送風部２１からの気流Ｅが水搬送部２８に接触しないサイズとしている。
また、結露水が作られている時は結露水が複数の穴３６に浸入し、穴３６内部を満たすので、気流Ｅが水搬送部２８に触れることはなく、水搬送部２８が乾燥することはない。また、穴３６を塞ぐように水搬送部２８が当接していることで、結露水全てが水搬送部２８に供給されて無駄が無い。
【００２２】
水搬送部２８の一例としては、材質を発泡金属で構成することで、結露水が徐々に染みて行き先端の尖った放電電極２９まで水を供給することができる。その放電電極２９の正面近傍には、空間を隔てて対向電極３０が設けられ、接続端子３４に接続された対向電極３０と接続端子３５に接続され、水を持った放電電極２９との間に高電圧を印加すると、ナノメーターサイズの静電ミストが発生する。
静電ミストの発生メカニズムは上記特許文献４である特開２００９−９０２８０号公報に記載されているように、放電電極２９に保持していた水が帯電し、帯電した水にクーロン力が働き、水の液面が局所的に円錐形状に盛り上がりテイラーコーンが形成され、このテイラーコーンの電荷が集中して電荷の密度が高密度になり、テイラーコーンの先端部分の水が大きなエネルギーを受けて表面張力を超えてはじけるようにして水が分裂、飛散（レイリー分裂）を繰り返して静電霧化を行い、ナノメーターサイズの静電ミストが発生するものである。
【００２３】
発生した静電ミストは放電室４１で充満し、第４の開口３１を通って通路３３に溢れ出る。通路３３に充満してくる静電ミストは図４に示すように、気流Ｆが第５の開口３２から静電ミストを誘引し、第２の吐出口２２から前記気流Ｆと共に排出され、部屋内に散布される。
霧製造室１７内の第２の送風部２１は第１の送風部６より小型のファンとモータを使用することで、風量は空気清浄のメイン気流となる気流Ａ及び気流Ｂよりも小風量となり、静電ミストが広範囲に散り撒かれることはなく、静電ミストが短時間の内に極端に希薄状態になることはなく、ナノメーターサイズの静電ミストが人の肌や毛髪の保湿量を保つのに効果を上げる。なお、ナノメーターサイズの静電ミストの保湿効果については、上記特許文献４である特開２００９−９０２８０号公報に記載がある。
また、前記ペルチェモジュール３７の熱交換技術を応用して静電ミストの元といえる水を空気中から生成供給するので、使用者が水を補給する必要は無く、またその水を溜めておくのではないので腐食する恐れもない。
【００２４】
更に、第２の送風部２１により周囲の湿った空気を吸熱板２４へ供給することができるので、安定した結露水の量を生成可能である。しかし、吸熱板２４へ供給する気流Ｅは風量が多かったり、風速が速いと吸熱板２４の温度が上がってしまったり等で結露し難い状態になるのに対し、放熱板２０を冷却するための気流Ａ、気流Ｂは風量が多く必要で、風速も速い方が有利のため、同じ１つのファンで同時に湿った空気の供給用と放熱板の冷却を兼ねるのは困難である。
また、気流Ａ、気流Ｂは集塵や脱臭をする本来の空気清浄機のメイン機能に拘わるものなので、使用者が自由に風量、風速調整を行う場合が多く、吸熱板２４への空気の供給量の調整が独立していないので困難である。
【００２５】
しかし、本発明では吸熱板２４への空気の供給は、専用の第２の送風部２１を設けたので、風量も風速も空気清浄機のメイン気流とは独立して制御が可能なため、使用者の操作に影響を受けずに安定して静電ミストの生成が可能である。
また、霧製造室１７は大きく開口した第１の吐出口１４と連通する空間ではなく別室なので、使用していない時に第１の吐出口１４から埃が浸入しても、電極等を汚したり、結露水を生成する吸熱板２４に蓄積することもなく故障の心配や、性能を落とすこともなく、また清潔に使用することができる。
【００２６】
上記実施の形態１は、第２の送風部２１は霧製造室１７に設けた第２の吸込口７から吸引し、一部の空気流が霧製造室１７内に配設された静電霧化装置１９を経由し、残りの空気流が静電霧化装置１９周辺を通過して再び合流した空気流と、静電霧化装置１９内で生成され、静電霧化装置１９周辺を通過した空気流により誘引されたナノメーターサイズの静電ミストとを霧製造室１７に設けた第２の吐出口２２から排出させるようにしているが、第２の吸込口７から吸引し、全ての空気流が霧製造室１７内に配設された静電霧化装置１９を経由し、静電霧化装置１９を経由した空気流と、静電霧化装置１９内で生成され、その空気流の一部により誘引されたナノメーターサイズの静電ミストとを霧製造室１７に設けた第２の吐出口２２から排出させるようにしてもよい。
【００２７】
実施の形態２．
図８は本発明の実施の形態２に係る空気洗浄機の静電霧化室の断面図、図９は同空気清浄機の静電霧化室の第１の変型例の断面図、図１０は同空気清浄機の静電霧化室の第２の変型例の断面図である。
この実施の形態２は、図８に示すように、実施の形態１の静電霧化装置１９に水製造室４０と水搬送部２８と放電室４１とは隔離された誘引風路４２を設けたものである。
その誘引風路４２は一方の端部に第２の入口３８を有し、他方の端部に前記通路３３に連通する第２の出口３９を有する構成としている。
この誘引風路４２はその第２の入口３８から気流Ｆの一部もしくは全部を取り込み、その全てを第２の出口３９から通路３３に流し込み、第５の開口３２より放出させることで、通路３３内に充満していた静電ミストを全て第５の開口３２より放出させたり、放電室４１に充満していた静電ミストを誘引して第５の開口３２より放出させる等して、実施の形態１よりも効率良く、濃度も濃い状態で静電ミストを第２の吐出口２２から放出させることができる。
【００２８】
図９は実施の形態２の第１の変型例を示すもので、静電霧化装置１９の水搬送部２８の下部に、誘導風路４２に連通する複数の小さな第２の穴４３を設け、その第２の穴４３の上に第２の穴４３よりも孔径が小さい多孔質体４４を配置したものである。
このように、静電霧化装置１９の水搬送部２８の下部に、誘導風路４２に連通する複数の小さな第２の穴４３を設け、その第２の穴４３の上に多孔質体４４を配置することにより、気温と湿度の関係で季節や、部屋の状態により結露水の量が多く、水搬送部２８の水搬送能力や、吸収力を超えてしまった場合、水搬送部２８の下部に結露水が溢れ落ち、多孔質体４４を濡らし、含水量が飽和状態となると第２の穴４３より誘導風路４２に結露水が浸入し、浸入した結露水は常温である前記気流Ｆに晒され、気化してしまうので余分な結露水の処理が可能となる。
【００２９】
図１０は実施の形態２の第２の変型例を示すもので、静電霧化装置１９の水搬送部２８の下部を誘引風路４２と連通するように開放し、気流Ｆに水搬送部２８の下部を晒すようにしたものである。
このように、静電霧化装置１９の水搬送部２８の下部誘引風路４２と連通するように開放し、気流Ｆに水搬送部２８の下部を晒すようにしたことにより、気温と湿度の関係で季節や、部屋の状態により結露水の量が多く水搬送部２８の水搬送能力や、吸収力を超えてしまった場合、水搬送部２８の下部に結露水が溢れ落ち、誘引風路４２内で気流Ｆに晒され、気化してしまうので余分な結露水の処理が可能となる。
また、水搬送部２８の下部に直接気流Ｆが当たるので、結露水のある程度の量までは溢れ落ちる前に気化させることができる。
【００３０】
実施の形態３．
この実施の形態３は、霧製造室１７内における第２の送風部２１への電流供給と、ペルチェモジュール３７への電流供給と、放電電極２９及び対向電極３０への電流供給とをそれぞれ分離独立し、放電電極２９及び対向電極３０への電流供給や、ペルチェモジュール３７への電流供給が停止しても第２の送風部２１への電流供給は行い、第２の送風部２１を可動できるようにしたものである。
これにより、ペルチェモジュール３７と、放電電極２９及び対向電極３０への電流供給を停止した場合に、吸熱板２４と水搬送部２８に溜まった水をそのまま放置することなく、可動する第２の送風部２１が作り出す気流によって乾燥させることができ、常に清潔を保つことができる。
また、放電電極２９へ必要量の水が搬送されるまでは、放電電極２９及び対向電極３０への電流供給を停止し、乾燥状態で高電圧を印加しオゾン等が発生するのを防止することもできる。
【００３１】
実施の形態４．
この実施の形態４は、霧製造室１７内における第２の送風部２１への電流供給、ペルチェモジュール３７への電流供給並びに放電電極２９及び対向電極３０への電流供給を、第１の送風部６への電流供給とを分離独立し、第１の送風部６による空気清浄メイン気流による空気清浄をしていない場合に、第２の送風部２１、ペルチェモジュール３７並びに放電電極２９及び対向電極３０へ電流供給し、空気清浄メイン気流による空気清浄と独立して静電ミストの放出ができる。これにより、空気清浄はせずに肌や毛髪の保水を目的としただけでも使用でき、消費電力を抑えたり、騒音も少なくすることができる。
【００３２】
実施の形態５．
図１１は本発明の実施の形態５に係る空気洗浄機の図４と同様な断面図である。
この実施の形態５は、図１１に示すように、実施の形態１の静電霧化装置１９を第２の開口３２側が下がるように傾斜させて霧製造室１７内に設置したものである。
これにより、静電霧化装置１９に内蔵する全ての部材が霧製造室１７に対して傾斜した状態になり、吸熱板２４の上面４５や底面４６の結露水は傾斜の低い方向へ流れ、小さな粒だった結露水が合わさり大きな粒と凝集して成り、放電電極２９に近い側のガイド部２７から、放電電極２９に近い側の水搬送部２８へと流れ落ち、最短距離を短時間で放電電極２９に水を搬送する。
従って、結露水の量が少ない状況下では結露水がガイド部２７へ落ちるのに時間がかかったり、水搬送部２８で水の移動に時間がかかったり、またそれにより乾燥してしまったりという問題を解決することができる。
【００３３】
図１２は実施の形態５の第１の変型例を示すもので、静電霧化装置１９内に吸熱板２４をその放電電極側が下がるよう傾斜させて配置したものである。
これにより、静電霧化装置１９自体を霧製造室１７内に傾斜して設置しなくても、静電霧化装置１９自体を霧製造室１７内に傾斜したのと同様に、吸熱板２４の上面４５や底面４６の結露水が、傾斜の低い放電電極側へ凝集し大きな水の粒を作り、放電電極２９に近い側のガイド部２７から、放電電極２９に近い側の水搬送部２８へと流れ落ち、最短距離を短時間で放電電極２９に水を搬送するので同じ効果となる。
【００３４】
実施の形態６．
この実施の形態６は、霧製造室１７内における第２の送風部２１の回転数もしくは電流値を上げるのと連動して、ペルチェモジュール３７へ供給する電流値を上げる制御を施した。
これにより、第２の送風部２１が作り出す気流ＥＦの風量が増えると、それと連動してペルチェモジュール３７の電流値が上がり、放熱板２０と吸熱板２４との間の熱交換効率が上昇し、吸熱板２４の温度がより下がり、また吸熱板２４を通過する湿った空気が多く通過し、結露する水の量を増加させる。
また、気流Ｆの風量も増し、気流Ｅと気流Ｆの合流した気流は、より空気清浄機本体１外の遠方へと静電ミストを含む気流の到達距離を延ばし、効果の及ぶ範囲を増やすことができる。
【００３５】
また、第２の送風部２１の回転数もしくは電流値と独立して、ペルチェモジュール３７へ供給する電流値を制御するようにした。
これにより、ペルチェモジュール３７へ供給する電流値を上げた時に、選択的に第２の送風部２１の回転数もしくは電流値を可変させなかったり、又は下げたりすることで、発生する静電ミストの量は増加するが、空気清浄機本体１外へ放出する気流の量は変わらないか少なくなるので、放出後の室内での静電ミスト濃度が高くなり、肌や毛髪の保水効果が増加する。
【００３６】
また、第２の送風部２１の回転数もしくは電流値の増減と、ペルチェモジュール３７へ供給する電流値の量について、連動と独立の選択ができ切替スイッチ（図示せず）を設けることにより、使用者の好みで広範囲に効果を及ぼしたいか、狭い範囲で高効果を望むかを選ぶことができる。
【符号の説明】
【００３７】
１  空気清浄機本体、２  前扉、３  本体ケース、４  操作部ボックス、５  第１の吸込口、６  第１の送風部、７  第２の吸込口、８  フィルター群、８ａ  第１のフィルター、８ｂ  第２のフィルター、９  第１の開口、１０  ファン下流風路、１１  第２の開口、１２  加湿フィルター、１３  第３の開口、１４  第１の吐出口、１５  給水タンク、１６  水受け皿、１７  霧製造室、１８  ファン上流風路、１９  静電霧化装置、２０  放熱板、２１  第２の送風部、２２  第２の吐出口、２３  ガイド壁、２４  吸熱板、２５  第１の入口、２６  第２の出口、２７  ガイド部、２８  水搬送部、２９  放電電極、３０  対向電極、３１  第４の開口、３２  第５の開口、３３  通路、４０  水製造室、４１  放電室。
【図１】
2011098074.tif 000003
【図２】
2011098074.tif 000004
【図３】
2011098074.tif 000005
【図４】
2011098074.tif 000006
【図５】
2011098074.tif 000007
【図６】
2011098074.tif 000008
【図７】
2011098074.tif 000009
【図８】
2011098074.tif 000010
【図９】
2011098074.tif 000011
【図１０】
2011098074.tif 000012
【図１１】
2011098074.tif 000013
【図１２】
2011098074.tif 000014